(57)【要約】【課題】磁気センサの検出精度を向上させる。【解決手段】磁気センサ１は、外部磁場に応じて磁化が変化する磁化自由層３１、第一の方向に磁化が固定された磁化固定層３３、及び磁化自由層３１と磁化固定層３３との間に配置された非磁性層３２を含む積層部３０を有し外部磁場に応じた信号を出力する感磁ユニット２０と、磁化自由層３１に対してバイアス磁場を印加する金属薄膜７０と、を備え、バイアス磁場が印加されていないとき磁化自由層３１の磁化方向は、第一の方向に対して略平行又は略反平行である。磁化自由層３１に対し、上面視で第一の方向に垂直な第二の方向に正の成分を含む第一のバイアス磁場を印加した状態での感磁ユニット２０からの第一の出力と、第二の方向に負の成分を含む第二のバイアス磁場を印加した状態での感磁ユニット２０からの第二の出力と、に基づいて外部磁場の第二の方向の成分を算出する。【選択図】      図１
2018115972.tif 000002
【特許請求の範囲】
【請求項１】
基板と、
当該基板上に配置された積層部を有し、当該積層部が、外部磁場に応じて磁化が変化する磁化自由層、第一の方向に磁化が固定された磁化固定層、及び前記磁化自由層と前記磁化固定層との間に配置された非磁性層を含み、前記外部磁場に応じた信号を出力する感磁ユニットと、
前記磁化自由層に対してバイアス磁場を印加する磁場発生部と、を備え、
前記磁化自由層に対して前記バイアス磁場が印加されていないとき前記磁化自由層の磁化方向は、前記第一の方向に対して略平行又は略反平行であって、
前記磁化自由層に対して、上面視で前記第一の方向に垂直な第二の方向に正の成分を含む第一のバイアス磁場を印加した状態での前記感磁ユニットの出力である第一の出力と、
前記磁化自由層に対して、前記第二の方向に負の成分を含む第二のバイアス磁場を印加した状態での前記感磁ユニットの出力である第二の出力と、に基づいて前記外部磁場の前記第二の方向の成分を算出するようになっている磁気センサ。
【請求項２】
前記第一のバイアス磁場及び前記第二のバイアス磁場の第二の方向の成分のうち、何れか一方のみが零である請求項１に記載の磁気センサ。
【請求項３】
前記磁化自由層の磁化方向を、前記第一の方向に磁化するハードバイアス層をさらに備える請求項１又は請求項２に記載の磁気センサ。
【請求項４】
前記第一のバイアス磁場及び前記第二のバイアス磁場が、第一の方向の成分を含んでいる請求項１から請求項３のいずれか一項に記載の磁気センサ。
【請求項５】
前記第一の方向の成分を含むバイアス磁場を発生させる磁場発生部と、前記第二の方向の成分を含むバイアス磁場を発生させる磁場発生部とを、それぞれ独立に備える請求項４に記載の磁気センサ。
【請求項６】
前記第一の出力と前記第二の出力との差分に基づいて前記外部磁場の前記第二の方向の成分を算出するようになっている請求項１から請求項５のいずれか一項に記載の磁気センサ。
【請求項７】
前記第一の出力と前記第二の出力との差分を演算する差分回路を備えることを特徴とする請求項６に記載の磁気センサ。
【請求項８】
前記磁場発生部は、上面視で前記磁化自由層と重なるように前記感磁ユニット上に配置された金属薄膜である請求項１から請求項７のいずれか一項に記載の磁気センサ。
【発明の詳細な説明】
【技術分野】
【０００１】
本発明は磁気センサに関する。
【背景技術】
【０００２】
磁場を検出する磁気センサとして、ＧＭＲ（巨大磁気抵抗）効果やＴＭＲ（トンネル磁気抵抗）効果を用いたスピンバルブ型ＭＲ磁気センサがある。
スピンバルブ型ＭＲ磁気センサは、非磁性体を強磁性体で挟んだ構造（強磁性体／非磁性／強磁性体）を有し、一方の磁性体の磁化を反強磁性体で固定し（磁化固定層）、もう一方の強磁性体（磁化自由層）の磁化は外部磁場に対して自由に回転できる構造を有している（スピンバルブ構造）。スピンバルブ型ＭＲ磁気センサは、外部磁場Ｈが加わり、磁化固定層の磁化と磁化自由層の磁化との相対角が変化すると、非磁性体である中間層を流れる電流が変化するため、磁場を検出することができる（例えば、特許文献１参照）。
【０００３】
スピンバルブ型ＭＲ磁気センサは微小な磁場で大きな磁気抵抗（ＭＲ）変化を示すことが知られており、主にハードディスクの磁気ヘッド等に用いられている。また、スピンバルブ型ＭＲ磁気センサは、ホール効果を用いた磁気センサと比較して高感度であること、つまり微小磁場の検出が可能であることが知られている（例えば、特許文献２参照）。
ＭＲセンサには他の方式があり、例えばＡＭＲ（異方性磁気抵抗）効果を利用したＡＭＲ磁気センサがある。ＡＭＲ磁気センサはＧＭＲ磁気センサやＴＭＲ磁気センサと比較して感度は小さいが、ノイズ特性が優れており、磁気検出能はＧＭＲ磁気センサやＴＭＲ磁気センサと比較しても同等レベルである（例えば、特許文献３参照）。
【先行技術文献】
【特許文献】
【０００４】
【特許文献１】特開平９−１９９７６９号公報
【特許文献２】特開２００５−２２１３８３号公報
【特許文献３】特許第５０４４０７０号公報
【発明の概要】
【発明が解決しようとする課題】
【０００５】
上述したようなＧＭＲ効果やＴＭＲ効果を用いたスピンバルブ型ＭＲ磁気センサは、低周波領域において比較的大きなノイズを持つ。そのため、スピンバルブ型ＭＲ磁気センサによる検出精度の低下につながるという問題がある。
そこで、本発明は、このような事情に鑑みてなされたものであって、検出精度を向上させることの可能な磁気センサを提供することを目的としている。
【課題を解決するための手段】
【０００６】
上記目的を達成するために、本発明の一態様に係る磁気センサは、基板と、当該基板上に配置された積層部を有し、当該積層部が、外部磁場に応じて磁化が変化する磁化自由層、第一の方向に磁化が固定された磁化固定層、及び前記磁化自由層と前記磁化固定層との間に配置された非磁性層を含み、前記外部磁場に応じた信号を出力する感磁ユニットと、前記磁化自由層に対してバイアス磁場を印加する磁場発生部と、を備え、前記磁化自由層に対して前記バイアス磁場が印加されていないとき前記磁化自由層の磁化方向は、前記第一の方向に対して略平行又は略反平行であって、前記磁化自由層に対して、上面視で前記第一の方向に垂直な第二の方向に正の成分を含む第一のバイアス磁場を印加した状態での前記感磁ユニットの出力である第一の出力と、前記磁化自由層に対して、前記第二の方向に負の成分を含む第二のバイアス磁場を印加した状態での前記感磁ユニットの出力である第二の出力と、に基づいて前記外部磁場の前記第二の方向の成分を算出するようになっていることを特徴としている。
【発明の効果】
【０００７】
本発明の一態様によれば、より優れたノイズ特性を実現することが可能な磁気センサを提供することができる。
【図面の簡単な説明】
【０００８】
【図１】本発明の第一実施形態に係る磁気センサの一例を示す構成図である。
【図２】第一実施形態に係る磁気センサの磁気抵抗曲線の一例である。
【図３】外部磁場を検出する回路の一例である。
【図４】磁気センサの出力電圧に含まれるノイズの一例である。
【図５】従来の磁気センサの一例を示す構成図である。
【図６】従来の磁気センサの出力特性の一例である。
【図７】フルブリッジ回路からなる磁気センサの一例を示す構成図である。
【図８】従来の磁気センサを用いてフルブリッジ回路を構成した場合の出力特性の一例である。
【図９】本発明の第二実施形態に係る磁気センサの一例を示す構成図である。
【図１０】本発明の第三実施形態に係る磁気センサの一例を示す構成図である。
【図１１】第三実施形態に係る磁気センサの磁気抵抗曲線の一例である。
【図１２】本発明の第四実施形態に係る磁気センサの一例を示す構成図である。
【図１３】第四実施形態に係る磁気センサの磁気抵抗曲線の一例である。
【図１４】本発明の第五実施形態に係る磁気センサの一例を示す構成図である。
【図１５】第五実施形態に係る磁気センサの磁気抵抗曲線の一例である。
【図１６】第五実施形態に係る磁気センサの磁気抵抗曲線の一例である。
【図１７】本発明の第六実施形態に係る磁気センサの一例を示す構成図である。
【図１８】第六実施形態に係る磁気センサの変形例である。
【図１９】第六実施形態に係る磁気センサの感磁ユニットの磁気抵抗曲線の一例である。
【図２０】第六実施形態に係る磁気センサの磁気抵抗曲線の一例である。
【図２１】第六実施形態に係る磁気センサの感磁ユニットの磁気抵抗曲線のその他の例である。
【図２２】第六実施形態に係る磁気センサの磁気抵抗曲線のその他の例である。
【図２３】本発明の第七実施形態に係る磁気センサの一例を示す構成図である。
【図２４】第七実施形態に係る磁気センサの感磁ユニットの磁気抵抗曲線の一例である。
【図２５】第七実施形態に係る磁気センサの感磁ユニットの磁気抵抗曲線の一例である。
【図２６】第七実施形態に係る磁気センサの磁気抵抗曲線の一例である。
【図２７】本発明の第八実施形態に係る磁気センサの一例を示す構成図である。
【図２８】第八実施形態に係る磁気センサの一例を示す構成図である。
【図２９】第八実施形態に係る磁気センサの端子出力の磁気抵抗曲線の一例である。
【図３０】第八実施形態に係る磁気センサの各端子出力の差分が示す磁気抵抗曲線の一例である。
【図３１】本発明の第九実施形態に係る磁気センサの一例を示す構成図である。
【図３２】第九実施形態に係る磁気センサの一例を示す構成図である。
【図３３】第九実施形態に係る磁気センサの各端子出力の磁気抵抗曲線の一例である。
【図３４】第九実施形態に係る磁気センサの各端子出力の差分が示す磁気抵抗曲線の一例である。
【発明を実施するための形態】
【０００９】
以下の詳細な説明では、本発明の実施形態の完全な理解を提供するように多くの特定の具体的な構成について記載されている。しかしながら、このような特定の具体的な構成に限定されることなく他の実施態様が実施できることは明らかである。また、以下の実施形態は、特許請求の範囲に係る発明を限定するものではなく、実施形態で説明されている特徴的な構成の組み合わせの全てを含むものである。
【００１０】
以下、図面を参照して、本発明の一実施形態を説明する。以下の図面の記載において、同一部分には同一符号を付している。ただし、図面は模式的なものであり、厚みと平面寸法との関係、各層の厚みの比率等は現実のものとは異なる。
＜磁気センサ＞
本実施形態に係る磁気センサは、基板と、基板上に配置された積層部を有し、積層部が、外部磁場に応じて磁化が変化する磁化自由層、第一の方向に磁化が固定された磁化固定層、及び磁化自由層と磁化固定層との間に配置された非磁性層を含み、外部磁場に応じた信号を出力する感磁ユニットと、磁化自由層に対してバイアス磁場を印加する磁場発生部と、を備え、磁化自由層に対してバイアス磁場が印加されていないとき磁化自由層の磁化方向は、第一の方向に対して略平行又は略反平行であって、磁化自由層に対して、上面視で第一の方向に垂直な第二の方向に正の成分を含む第一のバイアス磁場を印加した状態での感磁ユニットの出力である第一の出力と、磁化自由層に対して、第二の方向に負の成分を含む第二のバイアス磁場を印加した状態で感磁ユニットの出力である第二の出力と、に基づいて外部磁場の第二の方向の成分を算出するようになっている。
【００１１】
これにより、本実施形態に係る磁気センサは、従来の磁気センサと比べて良好なノイズ特性を示し、測定精度を高めることができる。
本発明の一実施形態に係る磁気センサが、従来の磁気センサと比べて低ノイズになる作用は、測定対象である外部磁場が印加された時の第一の出力の信号変化の方向と第二の出力の信号変化の方向とが逆方向であり、且つ、信号に重畳して存在するノイズは第一の出力と第二の出力とで同一であるため、例えば第一の出力と第二の出力との差分をとることで真信号（検出対象の信号）に重畳して存在するノイズを除去し、信号変化成分のみを取り出すことができるからである。
演算を容易にする観点から、第一の出力と第二の出力との差分に基づいて外部磁場の第二の方向の成分を算出することが好ましい。
【００１２】
（外部磁場）
本発明の一実施形態において、外部磁場とは、測定対象から発生した磁場、環境に存在する磁場など、であり、磁気センサ自身から発生した磁場、例えば、磁化自由層や磁化固定層の磁化による磁場や、磁場発生部で発生させた磁場等は含まない。
【００１３】
（略平行、略反平行）
本発明の一実施形態において、略平行とは、外部磁場が理想的にはゼロの状態で、且つ、バイアス磁場が印加されていない状態において、磁化自由層の磁化方向が、第一の方向に対して−４５度以上４５度以下であることを意味し、略反平行とは、１３５度以上２２５度以下であることを意味する。
ここで、第一の方向と磁化自由層の磁化方向との相対角度が０度の時を「平行」、１８０度の時を「反平行」と定義している。
【００１４】
また、デバイス動作の利便性の観点から、磁化自由層の磁化方向が、第一の方向に対して略平行の場合には、相対角度としては、−３０度以上３０度以下がより好ましく、−１０度以上１０度以下の方がさらに好ましい。同様の観点から、磁化自由層の磁化方向が、第一の方向に対して略反平行の場合には、相対角度としては、１５０度以上２１０度以下がより好ましく、１７０度以上１９０度以下の方がさらに好ましい。磁化自由層の磁化方向と第一の方向との相対角度が０度または１８０度に近づくことで、磁場発生部からバイアス磁場を印加する際に、第一のバイアス磁場と第二のバイアス磁場の大きさを同じにすることができるため、デバイス動作の利便性の観点から好ましい。
【００１５】
本発明の一実施形態に係る磁気センサは、電気信号を外部の回路等との接続に用いる電極をさらに備えてもよい。
本発明の一実施形態に係る磁気センサは、外部から電力を供給するための外部接続配線をさらに備えていてもよい。外部接続配線は、外部端子と電極とを電気的に接続する部材であり、例えば金属細線（ボンディングワイヤー）や、金属バンプ等を用いることができる。
以下、本実施形態に係る磁気センサの各構成部について、例を挙げて説明する。
【００１６】
（１）基板
本発明の一実施形態に係る磁気センサにおける基板は、その上に所望の積層部を形成することが可能なものであれば特に制限されない。基板の一例としては、Ｓｉ基板やガラス基板が挙げられるがこの限りではない。素子との絶縁性を確保する観点から、基板は、Ｓｉ基板上にＳｉ酸化膜（ＳｉＯ２等）を成膜したものが好ましい。このときＳｉ基板は、ＩＣ（集積回路）などとの組み合わせの目的でパターニングされたものであってもよい。
【００１７】
（２）感磁ユニット
本発明の一実施形態に係る磁気センサにおける感磁ユニットは、基板上に配置され、外部磁場に応じて磁化が変化する磁化自由層と、第一の方向に磁化が固定された磁化固定層と、磁化自由層と磁化固定層との間に配置された非磁性層と、を含む積層部を有するものである。感磁ユニットは、積層部と接続される配線部をさらに有してもよい。
【００１８】
感磁ユニットは、積層部、配線部、磁場発生部との絶縁を保つための保護層をさらに有してもよい。
感磁ユニットは、第一の方向に磁場を印加するためのハードバイアス層をさらに備えていてもよい。また、第一の方向と直交する第二の方向に磁場を印加するためのハードバイアス層をさらに備えていてもよい。例えば、積層部の上方に保護層（絶縁層）を介してハードバイアス層が配置されていてもよい。ハードバイアス層の材料は例えば、ＣｏＰｔ、ＣｏＰｔＣｒなどのヒステリシスの大きい強磁性体材料が用いられるが、この限りではない。
【００１９】
感磁ユニットは基板上に複数存在してもよく、また、感磁ユニットは、複数の積層部を有していてもよい。
基板上に積層部が複数存在し、それらが配線部によって直列もしくは並列、またはその直並列（すなわち、直列と並列との組み合わせ）に接続されていてもよい。
複数の積層部を配線部によって直並列に接続してブリッジ回路を形成してもよい。この場合、電源の供給端子用の配線部、電圧の読み出し端子用の配線部、接地端子用の配線部を有する。
また、本発明の一実施形態に係る磁気センサは、複数の感磁ユニットが存在しており、その一部の磁化固定層の磁化方向が第一の方向の正の方向を向いており、残りの感磁ユニットの磁化固定層の磁化方向が第一の方向の負の方向を向いていてもよい。
【００２０】
（３）積層部
本発明の一実施形態に係る磁気センサにおける積層部は、基板上に配置され、外部磁場に応じて磁化が変化する磁化自由層と、第一の方向に磁化が固定された磁化固定層と、磁化自由層と磁化固定層との間に配置された非磁性層と、を含む。
積層部は、基板上に磁化自由層→非磁性層→磁化固定層の順で積層してもよく、磁化固定層→非磁性層→磁化自由層の順で積層してもよい。
【００２１】
また、上記三つの層の上又は下、又は三つの層間に他の層が挿入されていてもよい。
積層部の最上部には、酸化防止の観点から、非磁性のキャップ層を備えていることが好ましい。非磁性のキャップ層は、配線部との接続の観点から、Ａｕ、Ｒｕなどの導電性材料であることが好ましい。
密着性の観点から、キャップ層と、磁化自由層または磁化固定層との間にＴｉ、Ｔａなどの金属層を備えていることが望ましい。積層部は公知の方法で形成することが可能であり、一例としては、スパッタ法により形成することができる。また、複数の積層部を形成する場合、基板上に形成された積層膜を、フォトリソグラフィー法で形成されたマスク部材を用いてドライエッチングやウェットエッチングすることにより形成することができる。
【００２２】
この時、積層部の途中でエッチングを停止させることにより、積層部の形状を制御してもよい。この場合、エッチング停止点より上側の層が、エッチング停止点の下側の層上に複数部分に分かれて形成されていてもよい。
また、エッチング停止点は任意に設定することができる。例えば、上側の層に磁化自由層と非磁性層の一部が含まれ、下側の層に非磁性層の一部、磁化固定層が含まれていてもよい。
また、上側の層に磁化自由層、非磁性層、磁化固定層、が含まれ、下側の層はそれ以外の層（例えばＴａ、Ｒｕなど）で構成されていてもよい。
【００２３】
積層膜の磁化容易軸を決定するために、磁化容易軸にしたい方向と平行に、成膜中に磁場を印加してもよい。
ここで、磁化容易軸とは、磁性体のもつ磁気異方性の特性により、磁化されやすい方向のことを意味する。磁気異方性は、磁性体の形状によって決まる形状磁気、結晶方位によって決まる形状磁気異方性、磁性原子の配列によって起こる誘導磁気異方性などにより決定される。
また、積層膜を成膜後に、磁場中で熱処理を行うことで、磁化容易軸を決定してもよい。
また、磁化自由層を上面視で細長い形状に加工することで、磁化容易軸を決定してもよい。
【００２４】
（４）磁化自由層
本発明の一実施形態に係る磁気センサにおける磁化自由層は、外部磁場によって容易に磁化される強磁性材料で主に構成される。磁化自由層は、一つの材料で構成される必要はなく、多層膜であってもよい。強磁性材料としては、ＮｉＦｅ、ＣｏＦｅＢ、ＣｏＦｅＳｉＢ、ＣｏＦｅ、ＮｉＦｅＳｉＢなどが用いられるがこの限りではない。磁気感度向上のため、磁化自由層中にＲｕやＴａなどの非磁性層が挿入された多層膜であることが好ましい。なお、磁化自由層の微細加工形状は問わない。
【００２５】
（５）非磁性層
本発明の一実施形態に係る磁気センサにおける非磁性層は、非磁性材料で構成される。一般的に、非磁性層には、ＧＭＲ素子の場合はＣｕなどの金属材料が用いられ、ＴＭＲ素子の場合はＡｌ２Ｏ３やＭｇＯ等の絶縁材料が用いられるが、この限りではない。高磁気感度化のため、非磁性層にＭｇＯを利用することが好ましい。なお、非磁性層の微細加工形状は問わない。
【００２６】
（６）磁化固定層
本発明の一実施形態の磁気センサにおける磁化固定層は、外部磁場によって磁化方向が容易に変化しないように、強磁性材料を主に用いて構成される。磁化固定層は、一つの材料で構成される必要はなく、多層膜であってもよい。一例としては、磁化固定層は、強磁性材料を反強磁性材料でピン止めした構造が用いられる。軟磁性材料としては、ＮｉＦｅ、ＣｏＦｅＢ、ＣｏＦｅＳｉＢ、ＣｏＦｅなどが用いられるがこの限りではない。磁気感度向上のため、磁化固定層中にＲｕやＴａなどの非磁性層が挿入された多層膜であることが好ましい。また、反強磁性材料としてＩｒＭｎ、ＰｔＭｎなどが用いられるが、本発明はこの構成に限定されない。なお、磁化固定層の微細加工形状は問わない。
【００２７】
（７）保護層
本発明の一実施形態に係る磁気センサにおける保護層は、積層部、配線部、磁場発生部との絶縁を保つために用いる。保護層の材料は積層部、配線部、磁場発生部を絶縁可能なものであれば特に制限されず、一例として酸化ケイ素、窒化ケイ素、酸化アルミニウムが挙げられる。保護層は積層部の表面全体を覆うように形成され、積層部と配線部との接合部分や、電極上には通電窓（すなわち、開口部）が存在する。本発明において通電窓の位置や形状は限定されない。
【００２８】
（８）配線部
本発明の一実施形態に係る磁気センサにおける配線部は、絶縁層上に形成された通電窓を介して電極と積層部とを接続する。また、複数の磁気センサを、直列接続又は並列接続する場合、積層部同士を電気的に接続するためにも用いる。密着性の観点から、キャップ層と配線部の間にＴｉ、Ｔａなどの層を備えていることが望ましい。
【００２９】
配線部の材料としては、積層部同士、電極間を電気的に接続することが可能な導電性の材料（例えばＡｕ、Ｃｕ、Ｃｒ、Ｎｉ、Ａｌ、Ｔａ、Ｒｕなど）であれば特に制限されない。また、配線部は単一の材料からなってもよいし、複数の材料の混合又は積層であってもよい。配線部は公知の方法で形成することが可能であり、一例としては、フォトリソグラフィー法で形成されたマスク部材、及び、積層部の全面に、蒸着法やスパッタリング法により導電性材料を形成し、さらに剥離液を用いてマスク部材を剥離すること（すなわち、リフトオフ法）により形成することができる。
【００３０】
（９）電極
本発明の一実施形態に係る磁気センサにおける電極は、外部の回路等との接続に用いる。密着性の観点から、基板と電極との間にＴｉ、Ｔａなどの層を備えていることが望ましい。基板上に積層部を残し、その上部に電極を作製してもよい。電極の材料としては、配線部同様、導電性の材料（例えばＡｕ、Ｃｕ、Ｃｒ、Ｎｉ、Ａｌ、Ｔａ、Ｒｕなど）であれば特に制限されないが、素子特性の観点から、酸化されにくい材料（Ａｕ，Ｒｕなど）である方が好ましい。
【００３１】
また、電極は単一の材料からなってもよいし、複数の材料の混合又は積層であってもよい。電極は公知の方法で形成することが可能であり、一例としては、フォトリソグラフィー法で形成されたマスク部材、及び、積層部の全面に、蒸着法やスパッタリング法により導電性材料を形成し、さらに剥離液を用いてマスク部材を剥離すること（すなわち、リフトオフ法）により形成することができる。プロセス工数の観点から、配線部と同一プロセスで作製することが望ましい。
【００３２】
（１０）磁場発生部
本発明の一実施形態に係る磁気センサにおける磁場発生部は、磁化自由層にバイアス磁場を印加可能なものであれば特に限定されない。磁場発生部は、磁化自由層に対して、第二の方向の成分を含むバイアス磁場を印加することが可能である。磁場発生部が発生させるバイアス磁場は、第二の方向の正の成分を含む第一のバイアス磁場と、第二の方向の負の成分を含む第二のバイアス磁場とを有する。ここで、第一のバイアス磁場の第二の方向の成分が０より大きい場合、第二のバイアス磁場の第二の方向の成分は０でもよい。また、第二のバイアス磁場の第二の方向の成分が０より小さい場合、第一のバイアス磁場の第二の方向の成分は０でもよい。
【００３３】
磁場発生部は、第一のバイアス磁場の発生と第二のバイアス磁場の発生とを自由に切り替えることができる。例えば、感磁ユニットとは絶縁された金属薄膜に電流を流すことで、バイアス磁場を発生させることができる。電流の極性を変えることでバイアス磁場の方向を切り替えられるので、金属薄膜を、本発明の磁場発生部として用いることが可能である。この金属薄膜の材料としては、例えば、導電性の材料（例えばＡｕ、Ｃｕ、Ｃｒ、Ｎｉ、Ａｌ、Ｔａ、Ｒｕなど）であれば特に制限されない。
【００３４】
磁場発生部は、磁気センサのサイズ縮小の観点から、基板上にある方が望ましいが、コイルなどを後から設置してもよい。
磁化容易軸が第一の方向に向いているとき、その正負の向きは不安定で、外部磁場によって容易に変動しうる。そのため、磁場発生部によって、第一の方向の正の成分または第一の方向の負の成分を与えることでより安定した動作が可能となる。このような観点から、第二の方向に磁場を印加する時、同時に第一の方向成分の磁場が含まれている方が好ましい。
【００３５】
演算を容易にする観点から、第一のバイアス磁場の第二の方向の成分と第二のバイアス磁場の第二の方向の成分の絶対値は等しいことが好ましい。
磁場発生部は一つに限定されず、複数設けてもよい。また、一つの磁場発生部が発生させるバイアス磁場が第二の方向の成分を含んでいれば、その他の磁場発生部により発生させるバイアス磁場は、第二の方向の成分を含んでいなくてもよい。
【００３６】
＜具体例＞
以下、本発明の一実施形態に係る磁気センサの具体例を説明する。また、従来技術との比較を行い、優位性を示す。なお、以下に説明する各図において、同一の構成を有する部分には同一の符号を付し、その繰り返しの説明は省略する。また、方向については、以下のように定義する。
【００３７】
第一の方向の正方向（図１（ａ）に示す平面図において下から上方向）を「＋Ｙ方向」とする。
第一の方向の負方向（図１（ａ）に示す平面図において上から下方向）を「−Ｙ方向」とする。
第一の方向に関して特に正負を指定しない場合は単にＹ方向とする。
【００３８】
第二の方向の正方向（図１（ａ）に示す平面図において左から右方向）を「＋Ｘ方向」とする。なお、第二の方向は第一の方向と直交する方向である。
第二の方向の負方向（図１（ａ）に示す平面図において右から左方向）を「−Ｘ方向」とする。
第二の方向に関して特に正負を指定しない場合は単にＸ方向とする。
また、基板上に複数の感磁ユニットが存在し、磁化固定層の磁化方向が異なる場合には、最も番号が若い感磁ユニットの磁化固定層の磁化方向を「＋Ｙ方向」とする。
【００３９】
＜第一実施形態＞
まず、本発明の第一実施形態に係る磁気センサについて説明する。
（構成）
図１は、本発明の第一実施形態に係る磁気センサ１の構成の一例を示す模式図であり、図１（ａ）は平面図、図１（ｂ）は図１（ａ）のＡ−Ａ′断面図である。なお、図１（ｂにおいて、電極６０−１は省略している。
【００４０】
図１に示す磁気センサ１は、基板１０と、基板１０上に配置された感磁ユニット２０と、一対の電極６０（６０−１、６０−２）と、磁場発生部としてＹ方向に電流を流す金属薄膜７０と、を備える。
感磁ユニット２０は、積層部３０と、積層部３０を覆う保護層４０と、保護層４０に形成された通電窓４０ａを通じて積層部３０と接続される配線部５０と、配線部５０及び保護層４０を覆う保護層４１と、を備える。積層部３０は、磁化容易軸方向が「＋Ｙ方向」であり、外部磁場に応じて磁化が変化する磁化自由層３１と、非磁性層３２と、「＋Ｙ方向」に磁化が固定された磁化固定層３３とが、基板１０側から磁化固定層３３、非磁性層３２、磁化自由層３１の順に基板１０上に配置されてなる。なお、図１は、感磁ユニット２０が１つの積層部３０を有し、積層部３０は磁化固定層３３上に２つの磁化自由層３１−１、３１−２を有する場合を例示している。
【００４１】
保護層４０の磁化自由層３１−１、３１−２と対向する位置には通電窓４０ａ−１、４０ａ−２が形成され、通電窓４０ａ−１、４０ａ−２を覆うように、保護層４０の上に配線層５０−１、５０−２がそれぞれ形成され、配線層５０−１、５０−２のそれぞれは、一端が、通電窓４０ａ−１、４０ａ−２を通じて磁化自由層３１−１、３１−２に接続され、他端が電極６０−１、６０−２に接続される。積層部３０のうち、通電窓４０ａと対向する部分を除く領域は保護層４０によって絶縁されている。
【００４２】
そして、保護層４０及び配線部５０がさらに保護層４１で覆われて、感磁ユニット２０が形成される。
電極６０−１、６０−２は、金属薄膜７０を挟んで一方は「−Ｘ方向」側に形成され、他方は「＋Ｘ方向」側に形成される。
金属薄膜７０は、保護層４１上の、上面視で磁化自由層３１−１、３１−２と重なる領域を含んで、Ｙ方向に伸びて形成され、磁場発生部としてＹ方向に電流を流す。
【００４３】
（動作）
磁気センサ１の出力は、磁化自由層３１の磁化容易軸方向及び磁化固定層３３の磁化方向が、共に「＋Ｙ方向」を向いている時、Ｘ方向の外部磁場に対して、図２（ａ）に示すような下に凸の放物線状の磁気抵抗曲線を描く。つまり、外部磁場Ｈが零のとき、出力電圧Ｖは最小値となり、「＋Ｘ方向」及び「−Ｘ方向」の外部磁場が大きくなるほど二次曲線状に増加し、飽和磁場を「Ｈｓ」としたとき、外部磁場が「−Ｈｓ」以上「Ｈｓ」以下範囲の値をとるときに、外部磁場に応じて出力電圧Ｖが放物線状に変化する。そのため、磁気センサ１の出力電圧を読み取ることで、磁気センサ１に印加されている外部磁場の値を算出することができる。飽和磁場Ｈｓは、磁化自由層の形状や熱処理条件等に応じて変化するものである。
【００４４】
なお、図２（ａ）及び後述の図２（ｂ）、図２（ｃ）において、横軸は、磁気センサ１に与えられるＸ方向の外部磁場Ｈを表し、縦軸は、磁気センサ１の出力電圧Ｖを表す。
ここで、金属薄膜７０に対して「＋Ｙ方向」に電流を流すと、磁化自由層３１には、「−Ｘ方向」にバイアス磁場が印加される。この時、磁気センサ１の磁気抵抗曲線は、図２（ｂ）に示すように、外部磁場がゼロとなる位置が、磁気抵抗曲線の中心から左側にシフトする。この時の磁気センサ１の出力電圧値をＶａとする。この状態で外部磁場Ｈｅｘｔが印加され、電圧値がΔＶだけ変化すると、出力値は「Ｖａ−ΔＶ」となる。これを出力１とする。
【００４５】
また、金属薄膜７０に対して「−Ｙ方向」に電流を流すと、磁化自由層３１には、「＋Ｘ方向」にバイアス磁場が印加される。この時、磁気センサ１の磁気抵抗曲線は、図２（ｃ）に示すように、外部磁場がゼロとなる位置が、磁気抵抗曲線の中心から右側にシフトする。この時の電圧値をＶｂとする。この状態で外部磁場Ｈｅｘｔが印加され、電圧値がΔＶだけ変化すると、出力値は「Ｖｂ＋ΔＶ」となる。これを出力２とする。
【００４６】
外部磁場がゼロのときの出力１と出力２とが同一、つまり「Ｖａ＝Ｖｂ」の時、磁気抵抗曲線は極小点を軸中心として略線対称になるため、出力１と出力２の磁気抵抗曲線の傾きの大きさは同じになる。そのため、印加される外部磁場Ｈｅｘｔが比較的小さい場合には、出力１のΔＶの絶対値と、出力２のΔＶの絶対値は略同一とみなすことができる。なお、「Ｖａ＝Ｖｂ」の状態は、磁気抵抗曲線が極小点を中心として線対称である時、出力１と出力２のバイアス磁場の絶対値が同一である場合に実現できる。
【００４７】
磁気センサ１から出力される測定タイミングの異なる出力１と出力２との差分を、図３に示すように、別途設けた差分回路９０によって検出する。差分回路９０において、出力１と出力２との差分を算出する方法としては、例えばＰｅａｋ  ｔｏ  Ｐｅａｋ  ｄｅｔｅｃｔｏｒを用いることができる。Ｐｅａｋ  ｔｏ  ｐｅａｋ  ｄｅｔｅｃｔｏｒは、Ｃｏｒｒｅｌａｔｅｄ  ｄｏｕｂｌｅ  ｓａｍｐｌｉｎｇ  ｄｉｆｆｅｒｅｎｃｅ  ａｍｐｌｉｆｉｅｒとも呼ばれ、第一及び第二の信号を異なるタイミングでサンプリングし、その差分を検出する、スイッチキャパシタを利用した回路である。ここで、出力１及び出力２には、図４に示すように、一定の幅をもって揺らぐ電圧ノイズが存在する。この電圧ノイズは周波数分解すると、１／ｆノイズとなることが多い。
【００４８】
この電圧ノイズをＶｎとすると、出力１は「Ｖａ−ΔＶ±Ｖｎ」、出力２は「Ｖｂ＋ΔＶ±Ｖｎ」と表すことができる。
出力１及び出力２のノイズは、同じ素子（磁気センサ１）から出力されるため、十分に早いスイッチング周波数、例えば１ｋＨｚ程度の周波数で出力１と出力２とを測定し、差分をとれば、スイッチング周波数よりも小さいノイズは、同相で打ち消しあうため、除去することができる。さらに、出力１測定時と出力２測定時における、金属薄膜７０によって発生したバイアス磁場の絶対値が同じであるとすると、磁気抵抗曲線が極小点を中心として線対称である時、「Ｖａ＝Ｖｂ」となるので、出力２と出力１との差分は「２ΔＶ」となり、バイアス磁場に応じた成分及び素子の電圧ノイズ成分が含まれない、Ｘ方向の外部磁場に応じた信号のみを得ることができる。つまり、Ｘ方向の外部磁場を高精度に測定することができる。なお、前述のように、出力１のΔＶの絶対値と出力２のΔＶの絶対値とは、印加される外部磁場Ｈｅｘｔが比較的小さい領域で略同一とみなすことができるため、得られる出力１のΔＶの絶対値と出力２のΔＶの絶対値とが略同一とみなすことができる外部磁場Ｈｅｘｔの範囲を考慮して外部磁場検出を行うことが好ましい。
【００４９】
なお、ここでは、バイアス磁場の絶対値が同一とした場合について説明した。バイアス磁場の絶対値は必ずしも同一でなくとも効果はあるが、その効果は小さくなるため、同一である方が好ましい。
つまり、バイアス磁場の絶対値が同一である場合には、「Ｖａ＝Ｖｂ」となるため、出力２と出力１との差分が「２ΔＶ」となり、バイアス磁場に応じた成分を含まないＸ方向の外部磁場のみに応じた信号を得ることができる。一方、バイアス磁場の絶対値が同一でない場合には、「Ｖｂ−Ｖａ」からなるバイアス磁場に応じた成分を含む出力２と出力１との差分信号が得られることになるが、バイアス磁場に応じた成分「Ｖｂ−Ｖａ」は略直流成分となるため、得られた差分信号から直流成分を除去することにより、外部磁場のみに応じた信号を得ることができる。
【００５０】
ただし、電圧ノイズＶｎは素子への印加電圧値に比例するため、Ｖａ≠Ｖｂの場合、その差分に比例した電圧ノイズが残ることになるが、差分を取らない場合と比べて、ノイズの影響を低減することが可能となる。
ここで、磁気センサ１の磁化自由層３１の磁化容易軸が、「−Ｙ方向」に固定されている場合については、磁気抵抗曲線は上に凸の放物線状となるが、第一実施形態と同様の原理で第一実施形態と同等の作用効果を得ることができる。磁気センサ１の磁化自由層３１の磁化容易軸が、「−Ｙ方向」に固定されている場合の動作については、後述の第三実施形態における磁気センサの動作と同様であるので、そこで詳述する。
【００５１】
ちなみに、従来の磁気センサ１００では、以下に示すノイズの問題がある。
図５は、従来の磁気センサ１００の一例を示す構成図であり、図５（ａ）は平面図（上面視）であり、図５（ｂ）は図５（ａ）におけるＡ−Ａ′断面図である。なお、図５（ｂにおいて、電極６０−１は省略している。
図５に示す磁気センサ１００は、基板１０と、基板１０上に配置された感磁ユニット２０ａと、電極６０（６０−１、６０−２）と、を備える。
【００５２】
図５に示すように、感磁ユニット２０ａは、積層部３０と、積層部３０を覆う保護層４０と、配線部５０と、を備える。
積層部３０は、磁化容易軸方向が「＋Ｙ方向」で、外部磁場に応じて磁化が変化する磁化自由層３１と、非磁性層３２と、「＋Ｘ方向」に磁化が固定された磁化固定層３３と、が、基板１０側から磁化固定層３３、非磁性層３２、磁化自由層３１の順に基板１０上に形成されてなる。
【００５３】
なお、図５は、感磁ユニット２０ａが１つの積層部３０を有し、積層部３０は磁化固定層３３上に２つの磁化自由層３１−１、３１−２を有する場合を例示している。
保護層４０の磁化自由層３１−１、３１−２と対向する位置には通電窓４０ａ−１、４０ａ−２が形成され、通電窓４０ａ−１、４０ａ−２を覆うように、保護層４０の上に配線層５０−１、５０−２がそれぞれ形成されている。配線層５０−１、５０−２のそれぞれは、一端が、通電窓４０ａ−１、４０ａ−２を通じて磁化自由層３１−１、３１−２に接続され、他端が電極６０−１、６０−２に接続される。積層部３０のうち、通電窓４０ａと対向する部分を除く領域は保護層４０によって絶縁されている。
【００５４】
図６は、図５に示す従来の磁気センサ１００の出力特性の一例を示す。図６において、横軸はＸ方向の外部磁場Ｈ、縦軸は磁気センサ１００の出力電圧Ｖを示す。
磁気センサ１００の出力電圧は、積層部３０内の磁化自由層３１の磁化方向と磁化固定層３３の磁化方向との相対角度によって決まる。例えば、磁気センサ１００に対して、「−Ｘ方向」の外部磁場が印加されている場合、磁化自由層３１と磁化固定層３３の磁化相対角度は反平行になり、いわゆるＴＭＲ効果またはＧＭＲ効果により磁気センサ１の抵抗値が高くなる。そのため磁気センサ１００の出力電圧が高くなる。逆に、「＋Ｘ方向」の外部磁場が印加されている場合、磁化自由層３１と磁化固定層３３の磁化相対角度は平行になり、ＴＭＲ効果またはＧＭＲ効果により磁気センサ１００の抵抗値が低くなる。そのため磁気センサ１００の出力電圧は低くなる。
【００５５】
また、外部磁場がゼロの場合、磁気センサ１００の抵抗値は中間の値となり、出力電圧も中間値付近となる。
図６に示す出力特性を有する磁気センサ１００は、外部磁場が「＋Ｈｓ（飽和磁場）」以上「−Ｈｓ（飽和磁場）」以下の範囲で連続的に抵抗値が変化するため、磁気センサ１００の出力電圧を読み取ることで磁気センサ１００に印加されている外部磁場の値を算出することができる。
【００５６】
次に、従来の磁気センサ１００に起こるノイズの問題について説明する。
図６（ｂ）に示すように、外部磁場Ｈｅｘｔが磁気センサ１００に印加された時、磁気センサ１００の出力電圧は、理想的には、外部磁場がゼロの状況での出力電圧ＶｏからΔＶ分だけ減少し、「Ｖｏ−ΔＶ」となることが期待される。
しかし、磁気センサ１００の実際の出力電圧は、図４のように一定の幅をもって揺らぐことが分かっている。
【００５７】
出力電圧に発生するノイズ成分をＶｎとすると、磁気センサ１００の実際の出力電圧は、「Ｖｏ−ΔＶ±Ｖｎ」となり、ノイズ成分によって磁気センサ１００の精度が低下する。
ここで、図５に示す磁気センサ１００において、磁化固定層３３の磁化方向が、「＋Ｘ方向」ではなく「−Ｘ方向」に固定されており、後の部分は磁気センサ１００と同じ構成の磁気センサを磁気センサ１００ａとする。
【００５８】
磁気センサ１００は、実際に使用される際は、磁気センサ１００と磁気センサ１００ａを組み合わせて、ハーフブリッジ回路またはフルブリッジ回路が構成されることが多い。磁気センサ１００と磁気センサ１００ａとを備えたフルブリッジ回路を有する磁気センサ１０１の一例を図７に示す。
磁気センサ１０１は、電源の正極側（＋）、磁気センサ１００ａ、磁気センサ１００、電源の負極側（−）の順に接続され、磁気センサ１００ａと磁気センサ１００との接続点に端子Ｔａをもつ磁気センサ群Ａと、電源の正極側（＋）、磁気センサ１００、磁気センサ１００ａ、電源の負極側（−）の順に接続され、磁気センサ１００と磁気センサ１００ａとの接続点に端子Ｔｂをもつ磁気センサ群Ｂとが、並列に接続されて構成される。磁気センサ２は端子Ｔａの信号と端子Ｔｂの信号とを、差動アンプ等に入力することで、端子Ｔａの出力信号と端子Ｔｂの出力信号との差分信号を得る。
【００５９】
図７において、端子Ｔａ、端子Ｔｂそれぞれに注目すると、Ｘ方向の外部磁場の変化に対して、端子Ｔａからは図８（ａ）に示すように「＋Ｘ方向」の外部磁場が大きくなるほど減少する出力電圧が得られ、端子Ｔｂからは図８（ｂ）に示すように「＋Ｘ方向」の外部磁場が大きくなるほど増加する出力電圧が得られ、両者の差分をとると、図８（ｃ）に示すように、「＋Ｘ方向」の外部磁場が大きくなるほど減少する出力電圧が得られる。なお、図８（ａ）〜（ｃ）において、横軸は「Ｘ方向」の外部磁場Ｈ、縦軸は磁気センサ１０１の出力電圧Ｖを表す。
【００６０】
理想的な出力の場合、フルブリッジ回路全体への印加電圧がＶ、印加磁場がＨｅｘｔ、印加電圧Ｖあたりの電圧変化がΔＶであるとすると、端子Ｔａの出力電圧は「（Ｖ−ΔＶ±√２Ｖｎ）／２」となり、端子Ｔｂの出力電圧は「（Ｖ＋ΔＶ±√２Ｖｎ）／２」となり、両者の差分を取ると、「ΔＶ±Ｖｎ」となる。
このように、空間的に配置された２つ以上の磁気センサの出力電圧の差分を取ったとしても、ノイズ成分は除去できない。
【００６１】
つまり、従来の磁気センサ１００を備えた磁気センサ１０１においては、感磁ユニット２０ａにおいて、外部から磁場が印加された時に出力の変化方向（例えばΔＶを−ΔＶに変化させる、等）を変化させることができない。つまり、本発明における磁気センサ１と同じように出力タイミングを変えた時の出力電圧の差分をとってもノイズを除去することはできない。
これに対し、第一実施形態に係る磁気センサ１は、前述のようにノイズを除去することができる。そのため、第一実施形態に係る磁気センサ１は、従来に比較して、磁気センサ１による磁気検出精度を向上させることができる。
【００６２】
＜第二実施形態＞
次に、本発明の第二実施形態に係る磁気センサを説明する。
（構成）
図９は、本発明の第二実施形態に係る磁気センサ２の構成の一例を模式的に表したものであり、図９（ａ）は平面図、図９（ｂ）は、図９（ａ）のＡ−Ａ′断面図、図９（ｃ）は図９（ａ）のＢ−Ｂ′断面図である。
【００６３】
図９に示す磁気センサ２は、図１に示す第一実施形態における磁気センサ１において、さらに、金属薄膜７０及び保護層４１を覆う保護層４２を設け、保護層４２上の、上面視で、二つの磁化自由層３１−１、３１−２を除く領域に、これら磁化自由層３１−１、３１−２のそれぞれをＹ方向から挟むように３つのハードバイアス層８０を積層したものである。３つのハードバイアス層８０は「＋Ｙ方向」に磁化されており、ハードバイアス層８０によって、磁化自由層３１−１、３１−２は、「＋Ｙ方向」に磁化されている。ハードバイアス層８０を設けることによって、図２に示す磁気センサ１の出力特性において、Ｕ字カーブとなる特性を安定させることができる。その結果、より安定した磁気センサ２の出力を得ることができる。
なお、図９（ａ）では、見やすくするため、保護層４０〜４２、配線部５０、電極６０、金属薄膜７０を省略している。
【００６４】
（動作）
磁気センサ２の磁気抵抗曲線は、図２に示す第一実施形態における磁気センサ１と同様である。磁化自由層３１は、ハードバイアス層８０により、「＋Ｙ方向」に磁化されているため、Ｘ方向の外部磁場が入った時、磁気センサ１に比較して磁化自由層３１の磁化方向が変化しづらく、飽和磁場「±Ｈｓ」が大きくなる。動作原理は磁気センサ１と同じであるため、Ｘ方向の磁場に対して、図２（ａ）に示すような磁気抵抗曲線を描く。したがって、磁気センサ２は、第一の実施形態における磁気センサ１と同等の作用効果を得ることができると共に、飽和磁場「±Ｈｓ」がより大きいため、磁気センサ２の検出範囲をより広げることができる。
【００６５】
＜第三実施形態＞
次に、本発明の第三実施形態に係る磁気センサを説明する。
（構成）
図１０は、本発明の第三実施形態に係る磁気センサ３の構成の一例を模式的に表す平面図である。
【００６６】
図１０に示す磁気センサ３は、図９に示す第二実施形態における磁気センサ２において、磁化自由層３１を「−Ｙ方向」に磁化させたものである。
つまり、ハードバイアス層８０は「−Ｙ方向」に磁化されており、ハードバイアス層８０によって、磁化自由層３１−１、３１−２は、「−Ｙ方向」に磁化されており、外部磁場が加わらない状態では、反平行となっている。
【００６７】
（動作）
磁気センサ３は、磁化自由層３１の磁化方向が「−Ｙ方向」、磁化固定層３３の磁化方向が「＋Ｙ方向」を向いている時、「Ｘ方向」の磁場に対して、図１１（ａ）に示すような磁気抵抗曲線を描く。つまり、上に凸の放物線状となる。
ここで、金属薄膜７０に対して、「＋Ｙ方向」に電流を流すと、磁化自由層３１には、「−Ｘ方向」に磁場が印加される。この時、図１１（ｂ）に示すように、外部磁場がゼロとなる位置が、磁気抵抗曲線の中心から左側にシフトする。この時の電圧値をＶａとする。この状態で外部磁場Ｈｅｘｔが印加され、電圧値がΔＶだけ変化すると、出力値は「Ｖａ＋ΔＶ」となる。これを出力１とする。
【００６８】
また、「−Ｙ方向」に電流を流すと、磁化自由層３１には、「＋Ｘ方向」に磁場が印加される。この時、図１１（ｃ）に示すように、外部磁場がゼロとなる位置が、磁気抵抗曲線の中心から右側にシフトする。この時の電圧値をＶｂとする。この状態で外部磁場Ｈｅｘｔが印加され、電圧値がΔＶだけ変化すると、出力値は「Ｖｂ−ΔＶ」となる。これを出力２とする。なお、図１１において、横軸は、磁気センサ３に与えられるＸ方向の外部磁場Ｈを表し、縦軸は、磁気センサ３の出力電圧Ｖを表す。
【００６９】
磁気センサ３から出力される、測定タイミングの異なる出力１と出力２との差分を、図３に示すように、別途設けた差分回路９０によって検出する。
ここで、第一実施形態における磁気センサ１と同様に、出力１、出力２ともに、図４に示すような電圧ノイズが存在する。よって電圧ノイズをＶｎとすると、前述のように、外部磁場Ｈｅｘｔによる電圧値の変化分ΔＶは、出力１と出力２とで略同等とみなすことができるため、出力１は「Ｖａ＋ΔＶ±Ｖｎ」、出力２は「Ｖｂ−ΔＶ±Ｖｎ」と表すことができる。
【００７０】
そして、出力１、出力２のノイズは、同じ素子（磁気センサ３）から出力されるため、十分に早いスイッチング周波数、例えば１ｋＨｚ程度で出力１と出力２を測定し、差分をとれば、スイッチング周波数よりも小さいノイズは、同相で打ち消しあうため、除去することができる。
「＋Ｙ方向」及び「−Ｙ方向」に電流を流したときに金属薄膜７０によって発生した磁場が同じであるとすると、磁気抵抗曲線が極小点を中心として線対称である時、「Ｖａ＝Ｖｂ」となるので、出力１と出力２との差分は「２ΔＶ」とみなすことができる。つまり、差分回路９０の出力は、電圧ノイズを含まない出力となり、この場合も、磁気センサ３による検出精度を向上させることができる。
【００７１】
＜第四実施形態＞
次に、本発明の第四実施形態に係る磁気センサを説明する。
（構成）
図１２は、本発明の第四実施形態に係る磁気センサ４の構成の一例を模式的に表す平面図である。
【００７２】
図１２に示す磁気センサ４は、図９に示す第二実施形態における磁気センサ２において、ハードバイアス層８０が作る磁場の向きが異なるものであって、ハードバイアス層８０は、「−Ｘ方向及び＋Ｙ方向」に磁化されている。このハードバイアス層８０によって、磁化自由層３１は、「−Ｘ方向及び＋Ｙ方向」に磁化されている。「＋Ｙ方向」に磁化されることで、磁気抵抗曲線のＵ字カーブは安定する。また、「−Ｘ方向」に磁化されることで、図１３（ａ）に示すように、外部磁場がゼロとなる位置が、磁気抵抗曲線の中心から左側にシフトする。この時、電圧値Ｖａをとるとする。
【００７３】
ここで、磁気センサ４の磁化自由層３１がハードバイアス層８０によって固定される方向は、「−Ｘ方向及び＋Ｙ方向」に限るものではなく、「＋Ｘ方向及び＋Ｙ方向」に固定されている場合（磁気センサ４−１とする）、「−Ｘ方向及び−Ｙ方向」に固定されている場合（磁気センサ４−２とする）、「＋Ｘ方向及び−Ｙ方向」に固定されている場合（磁気センサ４−３とする）、であっても同等の作用効果を得ることができる。
【００７４】
磁気センサ４−１の場合、図１３（ｂ）に示すように、外部磁場がゼロとなる位置が、磁気抵抗曲線の中心から右側にシフトする。この時、電圧値Ｖｂをとるものとする。
磁気センサ４−２の場合、図１３（ｃ）に示すように、外部磁場がゼロとなる位置が、磁気抵抗曲線の中心から左側にシフトする。この時、電圧値Ｖａをとるものとする。
磁気センサ４−３の場合、図１３（ｄ）に示すように、外部磁場がゼロとなる位置が、磁気抵抗曲線の中心から右側にシフトする。この時、電圧値Ｖｂをとるものとする。
なお、図１３において、横軸は、磁気センサ４、４−１〜４−３に与えられるＸ方向の外部磁場Ｈを表し、縦軸は、磁気センサ４、４−１〜４−３の出力電圧Ｖを表す。
【００７５】
（動作）
（磁気センサ４の動作）
第四実施形態における磁気センサ４の出力特性は、磁化自由層３１の磁化方向が「＋Ｙ方向と＋Ｘ方向」との中間、つまり、「＋Ｘ方向」から４５度傾いた方向であり、磁化固定層３３の磁化方向が「＋Ｙ方向」であり、金属薄膜７０に電流を印加していないとき、Ｘ方向の磁場に対して、図１３（ａ）に示すような磁気抵抗曲線を描く。図１３（ａ）において、外部磁場Ｈｅｘｔがゼロの状態で出力電圧ＶはＶａをとる。
【００７６】
この状態で外部磁場Ｈｅｘｔが印加され、電圧値がΔＶだけ変化すると、出力電圧Ｖは「Ｖａ−ΔＶ」となる。これを出力１とする。
ここで、金属薄膜７０に対して、「−Ｙ方向」に電流を流すと、磁化自由層３１には、「＋Ｘ方向」に磁場が印加される。このとき、図１３（ｂ）に示すように、外部磁場がゼロとなる位置が磁気抵抗曲線の中心を挟んで左側から右側にシフトする。この時の電圧値をＶｂとする。この状態で外部磁場Ｈｅｘｔが印加され、電圧値がΔＶだけ変化すると、出力電圧Ｖは「Ｖｂ＋ΔＶ」となる。これを出力２とする。
【００７７】
磁気センサ４から出力される、測定タイミングの異なる出力１と出力２との差分を、図３に示すように、別途設けた差分回路９０によって検出する。
ここで、出力１、出力２ともに、図４に示すような電圧ノイズが存在する。よって電圧ノイズをＶｎとすると、外部磁場Ｈｅｘｔによる電圧値の変化分ΔＶは出力１と出力２とで略同等とみなすことができるため、出力１は「Ｖａ−ΔＶ±Ｖｎ」、出力２は「Ｖｂ＋ΔＶ±Ｖｎ」となる。
【００７８】
出力１、出力２のノイズは、同じ素子（磁気センサ４）から出力されるため、十分に早いスイッチング周波数、例えば１ｋＨｚ程度のスイッチング周波数で出力１と出力２を測定し、差分をとれば、スイッチング周波数よりも小さいノイズは、同相で打ち消しあうため、除去することができる。
出力１及び出力２を得る測定タイミングにおいて、金属薄膜７０によって発生した磁場が同じであるとすると、磁気抵抗曲線が極小点を中心として線対称である時、「Ｖａ＝Ｖｂ」となるので、出力２と出力１との差分は、「２ΔＶ」とみなすことができる。
つまり、差分回路９０の出力は、電圧ノイズを含まない出力となり、この場合も、磁気センサ４による検出精度を向上させることができる。
【００７９】
（磁気センサ４−１の動作）
図１３（ｂ）は、磁気センサ４−１の金属薄膜７０に電流を印加していない状態での出力特性である。図１３（ｂ）において、外部磁場Ｈｅｘｔがゼロの状態で出力電圧ＶはＶｂをとる。
この状態で外部磁場Ｈｅｘｔが印加され、電圧値がΔＶだけ変化すると、出力電圧Ｖは「Ｖｂ＋ΔＶ」となる。これを出力１とする。
【００８０】
ここで、金属薄膜７０に対して、「＋Ｙ方向」に電流を流すと、磁化自由層３１には、「−Ｘ方向」に磁場が印加される。このとき、図１３（ａ）に示すように、外部磁場がゼロとなる位置が磁気抵抗曲線の中心を挟んで右側から左側にシフトする。この時の出力電圧ＶはＶａをとる。この状態で外部磁場Ｈｅｘｔが印加され、電圧値がΔＶだけ変化すると、出力電圧Ｖは「Ｖａ−ΔＶ」となる。これを出力２とする。
【００８１】
磁気センサ４−１から出力される、測定タイミングの異なる出力１と出力２との差分を、図３に示すように、別途設けた差分回路９０によって検出する。
上記動作により、磁気センサ４−１も磁気センサ４と同等の作用効果を得ることができる。
【００８２】
（磁気センサ４−２の動作）
図１３（ｃ）は、磁気センサ４−２の金属薄膜７０に電流を印加していない状態での出力特性である。図１３（ｃ）において、外部磁場Ｈｅｘｔがゼロの状態で、出力電圧ＶはＶａをとる。
この状態で外部磁場Ｈｅｘｔが印加され、電圧値がΔＶだけ変化すると、出力電圧Ｖは「Ｖａ＋ΔＶ」となる。これを出力１とする。
【００８３】
ここで、金属薄膜７０に対して、「−Ｙ方向」に電流を流すと、磁化自由層３１には、「＋Ｘ方向」に磁場が印加される。このとき、図１３（ｄ）に示すように、外部磁場がゼロとなる位置が磁気抵抗曲線の中心を挟んで左側から右側にシフトする。この時の出力電圧ＶはＶｂをとる。この状態で外部磁場Ｈｅｘｔが印加され、電圧値がΔＶだけ変化すると、出力電圧Ｖは「Ｖｂ−ΔＶ」となる。これを出力２とする。
磁気センサ４−２から出力される、測定タイミングの異なる出力１と出力２との差分を、図３に示すように、別途設けた差分回路９０によって検出する。
上記動作により、磁気センサ４−２も磁気センサ４と同等の作用効果を得ることができる。
【００８４】
（磁気センサ４−３の動作）
図１３（ｄ）は、磁気センサ４−３の金属薄膜７０に電流を印加していない状態での出力特性である。図１３（ｄ）において、外部磁場Ｈｅｘｔがゼロの状態で、出力電圧ＶはＶｂをとる。この状態で外部磁場Ｈｅｘｔが印加され、電圧値がΔＶだけ変化すると、出力電圧Ｖは「Ｖｂ−ΔＶ」となる。これを出力１とする。
【００８５】
ここで、金属薄膜７０に対して、「＋Ｙ方向」に電流を流すと、磁化自由層３１には、「−Ｘ方向」に磁場が印加される。このとき、図１３（ｃ）に示すように、外部磁場がゼロとなる位置が磁気抵抗曲線の中心を挟んで右側から左側にシフトする。この時の電圧値をＶａとする。この状態で外部磁場Ｈｅｘｔが印加され、電圧値がΔＶだけ変化すると、出力電圧Ｖは「Ｖａ＋ΔＶ」となる。これを出力２とする。
【００８６】
磁気センサ４−３から出力される、測定タイミングの異なる出力１と出力２との差分を、図３に示すように、別途設けた差分回路９０によって検出する。
上記動作により、磁気センサ４−３も磁気センサ４と同等の作用効果を得ることができる。
なお、磁化自由層の形状異方性等といった、ハードバイアス層を設けること以外の効果により、磁化自由層３１の磁化容易軸方向を決定する場合でも、同等の作用効果を得ることができる。
また、ハードバイアス層の方向をリセットするためのコイル等をさらに備えていてもよい。
【００８７】
＜第五実施形態＞
次に、本発明の第五実施形態に係る磁気センサを説明する。
（構成）
図１４は、本発明の第五実施形態に係る磁気センサ５の構成の一例を示す模式図であり、図１４（ａ）は平面図、図１４（ｂ）は図１４（ａ）のＡ−Ａ′断面図である。なお、図１４（ｂ）において電極６０−１は省略している。
【００８８】
図１４に示す磁気センサ５は、図１に示す第一実施形態における磁気センサ１において、さらに、金属薄膜７０及び保護層４１を覆う保護層４２を設け、保護層４２上に、上面視で磁化自由層３１−１、３１−２と重なるように、これら磁化自由層３１−１、３１−２に対してＹ方向に磁場を印加することのできる金属薄膜７１を備える。金属薄膜７１は、上面視で保護層４２を跨いでローマ字のＳ字状に形成され、保護層４２を挟んで「＋Ｘ方向」側が＋電極、「−Ｘ方向」側が−電極となり、金属薄膜７１の「＋電極」側が磁化自由層３１−１と重なり、「−電極」側が磁化自由層３１−２と重なるように配置される。このような構成をとるのは磁化自由層３１−１、３１−２を同一方向に磁化させるためである。金属薄膜７１の「−側」から「＋側」に向かって電流を流すと、磁化自由層３１−１、３１−２はいずれも「＋Ｙ方向」に磁化され、「＋側」から「−側」に向かって電流を流すと、磁化自由層３１−１、３１−２はいずれも「−Ｙ方向」に磁化することができる。金属薄膜７１に電流を流すことによって、図２に示す磁気センサ１の出力特性において、Ｕ字カーブとなる特性を安定させることができる。その結果、より安定した出力を得ることができる。
【００８９】
（動作１）
磁気センサ５の磁気抵抗曲線は、磁化自由層３１が常に「＋Ｙ方向」に磁化するように図中の「−側」から「＋側」に向かって金属薄膜７１に電流を流す時、図２に示す第一実施形態における磁気センサ１の磁気抵抗曲線と同様である。
すなわち、金属薄膜７０に流す電流によって磁化自由層３１を「−Ｘ方向」に磁化し、金属薄膜７１に流す電流によって磁化自由層３１を「＋Ｙ方向」に磁化したときの磁気センサ５の出力を出力１とし、金属薄膜７０に流す電流によって磁化自由層３１を「＋Ｘ方向」に磁化し、金属薄膜７１に流す電流によって磁化自由層３１を「＋Ｙ方向」に磁化したときの磁気センサ５の出力を出力２とし、磁気センサ５から出力される、測定タイミングの異なる出力１と出力２との差分を、図３に示すように、別途設けた差分回路９０によって検出する。
【００９０】
磁化自由層３１は、金属薄膜７１を流れる電流によって磁化されているため、Ｘ方向の外部磁場が入った時、磁気センサ１に比較して磁化自由層３１の磁化方向が変化しづらく、飽和磁場「±Ｈｓ」が大きくなる。動作原理は磁気センサ１と同じであるため、磁気センサ５の出力はＸ方向の磁場に対して、図２（ａ）に示すような磁気抵抗曲線を描く。したがって、出力１と出力２との差分は、電圧ノイズを含まない出力となり、磁気センサ５による検出精度を向上させることができる。
【００９１】
（動作２）
また、磁化自由層３１が常に「−Ｙ方向」に磁化するように金属薄膜７１に電流を流す時には、金属薄膜７０に流す電流によって磁化自由層３１を「−Ｘ方向」に磁化し、金属薄膜７１に流す電流によって磁化自由層３１を「−Ｙ方向」に磁化したときの磁気センサ５の出力を出力１とし、金属薄膜７０に流す電流によって磁化自由層３１を「＋Ｘ方向」に磁化し、金属薄膜７１に流す電流によって磁化自由層３１を「−Ｙ方向」に磁化したときの磁気センサ５の出力を出力２とし、磁気センサ５から出力される、測定タイミングの異なる出力１と出力２との差分を、差分回路９０によって検出する。
【００９２】
磁気センサ５が動作２で動作する場合の動作原理は磁気センサ３と同じであり、磁気センサ５の出力は、Ｘ方向の磁場に対して、図１１（ａ）に示すような磁気抵抗曲線を描く。したがって、出力１と出力２との差分は、電圧ノイズを含まない出力となり、磁気センサ５による検出精度を向上させることができる。
【００９３】
（動作３）
また、磁化自由層３１が、常に「＋Ｘ方向」に磁化するように金属薄膜７０に電流を流す時には、金属薄膜７０に流す電流によって磁化自由層３１を「＋Ｘ方向」に磁化し、金属薄膜７１に流す電流によって磁化自由層３１を「−Ｙ方向」に磁化したときの磁気センサ５の出力を出力１とし、金属薄膜７０に流す電流によって磁化自由層３１を「＋Ｘ方向」に磁化し、金属薄膜７１に流す電流によって磁化自由層３１を「＋Ｙ方向」に磁化したときの磁気センサ５の出力を出力２とする。この場合、磁気センサ５の磁気抵抗曲線は、出力１では、外部磁場がゼロとなる位置が、上に凸の放物線の中心より右側（図１５（ａ））となり、出力２では下に凸の放物線の中心より右側（図１５（ｂ））となり、これら出力１と出力２との差分を、差分回路９０によって検出する。この場合も出力１と出力２との差分は、電圧ノイズを含まない出力となり、磁気センサ５による検出精度を向上させることができる。
【００９４】
（動作４）
また、磁化自由層３１が、常に「−Ｘ方向」に磁化するように金属薄膜７０に電流を流す時には、金属薄膜７０に流す電流によって磁化自由層３１を「−Ｘ方向」に磁化し、金属薄膜７１に流す電流によって磁化自由層３１を「−Ｙ方向」に磁化したときを出力１とし、金属薄膜７０に流す電流によって磁化自由層３１を「−Ｘ方向」に磁化し、金属薄膜７１に流す電流によって磁化自由層３１を「＋Ｙ方向」に磁化したときを出力２とする。出力１では、外部磁場がゼロとなる位置が、上に凸の放物線の極大点より左側（図１６（ａ））となり、出力２では下に凸の放物線の中心より左側（図１６（ｂ））となり、これら出力１と出力２との差分を、差分回路９０によって検出する。この場合も出力１と出力２との差分は、電圧ノイズを含まない出力となり、磁気センサ５による検出精度を向上させることができる。
【００９５】
＜第六実施形態＞
次に、本発明の第六実施形態に係る磁気センサを説明する。
（構成）
図１７は、本発明の第六実施形態に係る磁気センサ６の構成の一例を模式的に表す平面図である。図１７（ａ）は金属薄膜７０を省略した図であり、図１７（ｂ）は金属薄膜７０を記載した図である。
【００９６】
図１７に示す磁気センサ６はハーフブリッジ回路を構成するように接続されており、感磁ユニット２０と同一構成を有する感磁ユニット２０１及び２０２がＹ方向に直線上に配置され、感磁ユニット２０１と感磁ユニット２０２との間に出力端子６０１が設けられている。各感磁ユニット２０１、２０２の磁化自由層３１の磁化容易軸と、磁化固定層３３の磁化方向はそれぞれ「＋Ｙ方向」を向いている。
【００９７】
図１７（ａ）に示すように、感磁ユニット２０１及び２０２を挟んで、電極６０−１、６０−２は「−Ｘ方向」側に配置され、出力端子６０１は「＋Ｘ方向」側に配置される。
図１７（ｂ）に示すように、金属薄膜７０は、上面視で感磁ユニット２０１及び２０２と、「＋Ｙ方向」側に配置された金属薄膜用の電極７０ａ−１及び「−Ｙ方向」側に配置された金属薄膜用の電極７０ａ−２と重なるように配置され、さらに、金属薄膜７０は、電極７０ａ−１を正電極、電極７０ａ−２を負電極としたとき、電極７０ａ−１、７０ａ−２間に通電することにより、感磁ユニット２０１上では「−Ｙ方向」、感磁ユニット２０２上で「＋Ｙ方向」に流れるように配置される。その結果、感磁ユニット２０１と感磁ユニット２０２には、逆方向のバイアス磁場がかかることになり、出力端子６０１からはハーフブリッジ回路の出力が得られるような構成となっている。
【００９８】
図３に示すように、あるタイミングに金属薄膜７０に「＋側」から「−側」方向に電流を流した時の出力１と、出力１とは別のタイミングに金属薄膜７０に「−側」から「＋側」方向に電流を流した時の出力２との差分が、別途設けられた差分回路９０によって出力される。
なお、磁気センサ６において、金属薄膜７０は、図１７に示すように配置する場合に限るものではなく、例えば図１８に示すように配置してもよい。
【００９９】
図１８は、磁気センサ６のその他の構成の一例を模式的に示したものであり、図１８（ａ）は平面図、図１８（ｂ）は図１８（ａ）のＡ−Ａ′断面図、図１８（ｃ）は図１８（ａ）のＢ−Ｂ′断面図である。なお、図１８（ｂ）において、電極６０−１、正極７０ａ−１は省略し、図１８（ｃ）において、結合部７０ａ−３、出力端子６０１は省略している。
【０１００】
図１８に示す金属薄膜７０′は、正極７０ａ−１に接続される素子上部に形成された金属薄膜７０１と、負極７０a−２に接続される素子下部に形成された金属薄膜７０２と、を備える。図１８に示すように、感磁ユニット２０１側では金属薄膜７０１が保護層４１の上に配置され、感磁ユニット２０２側では金属薄膜７０２が積層部３０と基板１０との間に配置され、金属薄膜７０１と金属薄膜７０２とは結合部７０a−３を介して結合される。このように金属薄膜７０の代わりに、金属薄膜７０′を配置した場合でも、図１７に示す磁気センサ６と同等の作用効果を得ることができる。なお、積層部３０と基板１０との間に金属薄膜７０２を形成する場合には、積層部３０と金属薄膜７０２との間に保護層４３を形成する必要がある。
【０１０１】
金属薄膜７０′が図１８に示すように配置された磁気センサ６の場合、感磁ユニット２０１と感磁ユニット２０２の磁化方向が「−Ｙ方向」を向いていてもよい。
また、外部磁場がゼロの時、感磁ユニット２０１内の磁化固定層３３の磁化方向と、感磁ユニット２０２内の磁化固定層３３の磁化方向とが異なっていたとしても、感磁ユニット２０１と２０２との間で、磁化固定層３３の磁化方向と磁化自由層３１の磁化容易軸との相対角度が同じであればよい。
【０１０２】
例えば、感磁ユニット２０１の磁化固定層３３の磁化方向は「＋Ｙ方向」、磁化自由層３１の磁化容易軸方向は「＋Ｙ方向」で、感磁ユニット２０２の磁化固定層３３の磁化方向は「−Ｙ方向」、磁化自由層の磁化容易軸方向は「−Ｙ方向」の場合は、上記各実施形態と同様の手順で出力１と出力２とを得たときのこれらの差分は、電圧ノイズを含まない出力となる。
【０１０３】
しかしながら、感磁ユニット２０１の磁化固定層３３の磁化方向は「＋Ｙ方向」、磁化自由層３１の磁化容易軸方向は「−Ｙ方向」で、感磁ユニット２０２の磁化固定層３３の磁化方向は「−Ｙ方向」、磁化自由層３１の磁化容易軸方向は「−Ｙ方向」であり、金属薄膜７０の形状が上面視で図１７（ｂ）に示す形状の場合は、上記各実施形態と同様の手順で出力１と出力２とを得たときのこれらの差分は、電圧ノイズを除去することができない。この場合には、金属薄膜７０の形状を変更すれば電圧ノイズを除去することができる。この金属薄膜７０の形状を変更した磁気センサについては、第七実施形態として説明する。
【０１０４】
なお、第六実施形態における磁気センサ６において、第二〜第五実施形態に示すように、ハードバイアス磁石等を用いて磁化自由層３１の磁化方向を固定してもよい。なお、第四実施形態のように、ハードバイアス磁石等で磁化自由層３１のＸ方向の磁化を固定する場合、感磁ユニット２０１の磁化自由層３１と感磁ユニット２０２の磁化自由層の磁化方向の符号は逆である必要がある。
【０１０５】
（動作）
第六実施形態における磁気センサ６では、感磁ユニット２０１及び感磁ユニット２０２の出力は、図１９に示すように、下に凸の放物線状となる磁気抵抗曲線を描き、金属薄膜７０に対して「＋側」の電極７０ａ−１から「−側」の電極７０ａ−２方向に電流を流した時、感磁ユニット２０１の出力特性は図１９（ｂ）に示すように、外部磁場がゼロとなる位置が、磁気抵抗曲線の中心から右側にシフトし、感磁ユニット２０２の出力特性は図１９（ａ）に示すように、外部磁場がゼロとなる位置が、磁気抵抗曲線の中心から左側にシフトする。その結果、磁気センサ６の出力端子６０１からは、図２０（ａ）のような出力が得られる。これを出力１とする。
【０１０６】
また、金属薄膜７０に対して「−側」の電極７０ａ−２から「＋側」の電極７０ａ−１方向に電流を流した時、感磁ユニット２０１は図１９（ａ）、感磁ユニット２０２は図１９（ｂ）に示すような出力となる。その結果、出力端子６０１からは、図２０（ｂ）に示す出力が得られる。これを出力２とする。
そして、図３に示すように、測定タイミングの異なる出力１と出力２との差分が、別途設けられた差分回路９０によって出力される。
【０１０７】
この場合も、十分に早いスイッチング周波数で出力１と出力２とを測定し、差分をとることにより、第一実施形態と同様に差分回路９０の出力は、電圧ノイズを含まない出力となり、磁気センサ６による検出精度を向上させることができる。
一方、感磁ユニット２０１と感磁ユニット２０２の磁化固定層３３の磁化方向が「−Ｙ方向」を向いているとき、磁化自由層３１と磁化固定層３３とは反平行となるため、感磁ユニット２０１及び感磁ユニット２０２の出力特性は、上に凸の放物線状となる磁気抵抗曲線を描き、金属薄膜７０に対して、「＋側」から「−側」の電極に電流を流した時、感磁ユニット２０１の出力は、図２１（a）に示すように外部磁場がゼロとなる位置が、磁気抵抗曲線の中心から右側にシフトし、感磁ユニット２０２の出力特性は図２１（ｂ）に示すように、外部磁場がゼロとなる位置が、磁気抵抗曲線の中心から左側にシフトする。その結果、出力端子６０１からは、図２２（ａ）のような出力が得られる。これを出力１とする。
【０１０８】
また、金属薄膜７０に対して「−側」の電極７０ａ−２から「＋側」の電極７０ａ−１方向に電流を流した時、感磁ユニット２０１は図２１（ｂ）、感磁ユニット２０２は図２１（a）のような出力となる。その結果、出力端子６０１からは、図２２（ｂ）に示す出力が得られる。これを出力２とする。
そして、図３に示すように、測定タイミングの異なる出力１と出力２との差分が、別途設けられた差分回路９０によって出力される。この場合も差分回路９０の出力は、電圧ノイズを含まない出力となり、磁気センサ６による検出精度を向上させることができる。
【０１０９】
金属薄膜７０′の場合、「＋側」の電極７０a−２から「−側」の電極７０ａ−１方向に電流を流した時、正電極７０a−１から印加された電流は、金属薄膜７０１、結合部７０a−３、金属薄膜７０２を通って、負電極７０a−２へと流れる。電流がこのような経路を通ることで、感磁ユニット２０１には、「＋Ｘ方向」の磁場を、感磁ユニット２０２には「−Ｘ方向」の磁場を印加することができる。したがって金属薄膜７０′は、金属薄膜７０と同等の働きをするといえる。
【０１１０】
＜第七実施形態＞
次に、本発明の第七実施形態に係る磁気センサを説明する。
（構成）
図２３は、本発明の第七実施形態に係る磁気センサ７の構成の一例を模式的に示す平面図であり、図２３（ａ）は金属薄膜７０を省略した図であり、図２３（ｂ）は金属薄膜７０を記載した図である。
【０１１１】
図２３に示す磁気センサ７は、図１７に示す第６実施形態における磁気センサ６において、金属薄膜７０の形状と、感磁ユニット２０２の磁化固定層３３の磁化方向が異なる。磁気センサ７は、ハーフブリッジ回路を構成するように接続されており、感磁ユニット２０と同一構成を有する感磁ユニット２０１及び２０２がＹ方向に直線上に配置され、感磁ユニット２０１と感磁ユニット２０２との間に出力端子６０１が設けられている。感磁ユニット２０１の磁化自由層３１の磁化容易軸と、磁化固定層はそれぞれ「＋Ｙ方向」を向いており、感磁ユニット２０２の磁化自由層３１の磁化容易軸は「＋Ｙ方向」、磁化固定層３３の磁化方向は「−Ｙ方向」を向いている。
【０１１２】
図２３（ａ）に示すように、感磁ユニット２０１及び感磁ユニット２０２を挟んで、電極６０−１、６０−２は「−Ｘ方向」側に配置され、出力端子６０１は「＋Ｘ方向」側に配置される。
図２３（ｂ）に示すように、金属薄膜７０は、上面視で感磁ユニット２０１及び感磁ユニット２０２と、「＋Ｙ方向」側に配置された金属薄膜７０用の電極７０ａ−１及び「−Ｙ方向」側に配置された金属薄膜７０用の電極７０ａ−２と重なるように配置され、さらに、金属薄膜７０は、電極７０ａ−１を正電極、電極７０ａ−２を負電極としたとき、電極７０ａ−１、７０ａ−２間に通電することにより、感磁ユニット２０１、感磁ユニット２０２上で「−Ｙ方向」に流れるように配置される。感磁ユニット２０１と感磁ユニット２０２の磁化固定層３３は逆方向を向いているので、金属薄膜７０への通電で発生した磁場によって、出力端子６０１からはハーフブリッジ回路の出力が得られるような構成となっている。
【０１１３】
図３に示すように、あるタイミングに金属薄膜７０に「＋側」から「−側」方向に電流を流した時の出力１と、出力１とは別のタイミングに金属薄膜７０に「−側」から「＋側」方向に電流を流した時の出力２との差分が、別途設けられた差分回路９０によって出力され、電圧ノイズを含まない出力が得られる。
なお、第七実施形態における磁気センサ７の変形例としては、感磁ユニット２０１の磁化自由層３１が「−Ｙ方向」、磁化固定層３３が「＋Ｙ方向」、感磁ユニット２０２の磁化自由層３１が「＋Ｙ方向」、磁化固定層３３が「＋Ｙ方向」である場合、感磁ユニット２０１の磁化自由層３１が「−Ｙ方向」、磁化固定層３３が「−Ｙ方向」、感磁ユニット２０２の磁化自由層３１が「−Ｙ方向」、磁化固定層３３が「＋Ｙ方向」、である場合等、各感磁ユニット２０１、２０２に磁化自由層３１、磁化固定層３３のうち、いずれか1つの磁化方向が逆向きになっている組み合わせであれば、電圧ノイズを含まない出力を得ることができる。
【０１１４】
なお、磁気センサ７において、第二〜第五実施形態に示すように、ハードバイアス磁石等を用いて磁化自由層３１の磁化方向を固定してもよい。なお、磁気センサ７において、第四実施形態のように、ハードバイアス磁石等で磁化自由層３１のＸ方向の磁化を固定する場合、感磁ユニット２０１と感磁ユニット２０２の磁化方向の符号は同じである必要がある。
【０１１５】
（動作）
第七実施形態における磁気センサ７の、感磁ユニット２０１の出力特性は図２４（ａ）に示すように下に凸となる放物線状の磁気抵抗極性を描き、感磁ユニット２０２は図２５（ａ）に示すように、上に凸となる放物線状の磁気抵抗曲線を描くため、出力端子６０１からは、図２６（ａ）に示すように、上に凸の放物線状となる磁気抵抗曲線を描く。ここで、金属薄膜７０に対して「−側」の電極７０ａ−２から「＋側」の電極７０ａ−１方向に電流を流した時、感磁ユニット２０１の出力は、図２４（ｂ）に示すように、また、感磁ユニット２０２の出力は図２５（ｂ）に示すように、外部磁場がゼロとなる位置が、磁気抵抗曲線の中心から左側にシフトする。その結果、出力端子６０１からは、図２６（ｂ）のような出力が得られる。これを出力１とする。
【０１１６】
また、金属薄膜７０に対して「＋側」の電極７０ａ−１から「−側」の電極７０ａ−２方向に電流を流した時、感磁ユニット２０１の出力は、図２４（ｃ）に示すように、また、感磁ユニット２０２の出力は図２５（ｃ）に示すように、外部磁場がゼロとなる位置が、磁気抵抗曲線の中心から右側にシフトする。その結果、出力端子６０１からは、図２６（ｃ）のような出力が得られる。これを出力２とする。
そして、図３に示すように、測定タイミングの異なる出力１と出力２との差分が、別途設けられた差分回路９０によって出力される。差分回路９０の出力は、電圧ノイズを含まない出力となり、この場合も、磁気センサ７による検出精度を向上させることができる。
【０１１７】
＜第八実施形態＞
次に、本発明の第八実施形態に係る磁気センサを説明する。
（構成）
図２７、図２８は、本発明の第八実施形態に係る磁気センサ８の構成の一例を模式的に表す平面図である。図２７は金属薄膜７０を省略した図であり、図２８は金属薄膜７０を記載した図である。
【０１１８】
図２７、図２８に示す磁気センサ８は感磁ユニット２０と同一構成を有する感磁ユニット２０１、２０２、２０３及び２０４が、フルブリッジ回路を構成するように接続されている。
具体的には、正極側（＋）の電極６０−１、感磁ユニット２０１、感磁ユニット２０２、負極側（−）の電極６０−２の順に接続され、感磁ユニット２０１と感磁ユニット２０２との接続点に端子Ｔａをもつ磁気センサ群Ａと、正極側（＋）の電極６０−１、感磁ユニット２０３、感磁ユニット２０４、負極側（−）の電極６０−１の順に接続され、感磁ユニット２０３と感磁ユニット２０４との接続点に端子Ｔｂをもつ磁気センサ群Ｂとが、並列に接続されて構成される。磁気センサ８は端子Ｔａの信号と端子Ｔｂの信号とを、差動アンプ等に入力することで、端子Ｔａの出力信号と端子Ｔｂの出力信号との差分信号を出力として得る。
【０１１９】
なお、感磁ユニット２０１〜２０４の磁化自由層３１の磁化容易軸方向、磁化固定層３３の磁化方向はすべて「＋Ｙ方向」を向いている。
磁気センサ８における金属薄膜７０は、すべての感磁ユニット２０１〜２０４上を通り、「＋側」から「−側」に電流を流した時、感磁ユニット２０１上と２０４上では「−Ｙ方向」、２０２と２０３上では、「＋Ｙ方向」になるように構成される。
【０１２０】
図３に示すように、あるタイミングに金属薄膜７０に「＋側」から「−側」方向に電流を流した時の端子Ｔａの出力信号と端子Ｔｂの出力信号との差分信号である出力１と、出力１とは別のタイミングに金属薄膜７０に「−側」から「＋側」方向に電流を流した時の端子Ｔａの出力信号と端子Ｔｂの出力信号との差分信号である出力２との差分が、別途設けられた差分回路９０によって出力される。この場合も差分回路９０の出力は、電圧ノイズを含まない出力となり、この場合も、磁気センサ８による検出精度を向上させることができる。
【０１２１】
なお、磁気センサ８の変形例として、感磁ユニット２０１〜２０４の磁化固定層３３の磁化方向がすべて「−Ｙ方向」を向いている場合等が挙げられる。金属薄膜７０が図２８に示すように配置されている場合、感磁ユニット２０１〜２０４の全ての磁化自由層３１が同じ方向を向いており、すべての磁化固定層３３が磁化自由層３１と同じ向きか、逆方向であれば、磁気センサ８と同等の作用効果を得ることができる。なお、第二〜第五実施形態に示すように、ハードバイアス磁石等を用いて磁化自由層３１の磁化方向を固定してもよい。
【０１２２】
（動作）
第八実施形態における磁気センサ８の、端子Ｔａからの出力は、磁気センサ６の出力と同等の特性が得られるため、金属薄膜７０に対して「−側」の電極７０ａ−２から「＋側」の電極７０ａ−１方向に電流を流した時、端子Ｔａの出力は図２９（ａ）に示すような磁気抵抗曲線を描き、端子Ｔｂの出力は図２９（ｂ）に示すような磁気抵抗曲線を描く。そのため端子Ｔａの出力信号と端子Ｔｂの出力信号との差分信号は、図３０（ａ）に示す特性となる。これを出力１とする。
【０１２３】
金属薄膜７０に対して「＋側」の電極７０ａ−１から「−側」の電極７０ａ−２方向に電流を流した時、端子Ｔａの出力は図２９（ｂ）に示すような磁気抵抗曲線を描き、端子Ｔｂの出力は図２９（ａ）に示すような磁気抵抗曲線を描く。そのため端子Ｔａの出力信号と端子Ｔｂの出力信号との差分信号は、図３０（ｂ）に示す特性となる。これを出力２とする。
【０１２４】
そして、図３に示すように、測定タイミングの異なる出力１と出力２との差分が、別途設けられた差分回路９０によって出力される。この場合も差分回路９０の出力は、電圧ノイズを含まない出力となり、この場合も、磁気センサ８による検出精度を向上させることができる。
【０１２５】
＜第九実施形態＞
次に、本発明の第九実施形態に係る磁気センサを説明する。
（構成）
図３１、図３２は、本発明の第九実施形態に係る磁気センサ９の構成の一例を模式的に表す平面図である。図３１は金属薄膜７０を省略した図であり、図３２は金属薄膜７０を記載した図である。
【０１２６】
図３１に示す磁気センサ９は磁気センサ８と同様に、フルブリッジ回路を構成するように接続されており、磁気センサ８において、磁化固定層３３の磁化の方向と、金属薄膜７０の形状とが異なる。
磁気センサ９では、全ての感磁ユニット２０１〜２０４の磁化自由層３１の磁化容易軸方向は、「＋Ｙ方向」であり、感磁ユニット２０１と感磁ユニット２０４の磁化固定層３３は「＋Ｙ方向」を向いており、感磁ユニット２０２と感磁ユニット２０３の磁化固定層３３は、「−Ｙ方向」を向いている。
【０１２７】
磁気センサ９における金属薄膜７０は、全ての感磁ユニット２０１から２０４上を通り、「＋側」から「−側」に電流を流した時、電流の方向が全ての感磁ユニット２０１〜２０４上で「−Ｙ方向」になるように構成される。
図３に示すように、あるタイミングに金属薄膜７０に「＋側」から「−側」方向に電流を流した時の出力１と、出力１とは別のタイミングに金属薄膜７０に「−側」から「＋側」方向に電流を流した時の出力２との差分が、別途設けられた差分回路９０によって出力され、電圧ノイズを含まない出力が得られる。
【０１２８】
磁気センサ９の変形例として、全ての感磁ユニット２０１〜２０４の磁化自由層３１の磁化方向が「＋Ｙ方向」であり、感磁ユニット２０１と感磁ユニット２０４の磁化固定層３３の磁化方向が「−Ｙ方向」、感磁ユニット２０２と感磁ユニット２０３の磁化固定層３３の磁化方向が「＋Ｙ方向」、を向いている場合等が挙げられる。
【０１２９】
このように金属薄膜７０が、図３２に示す第九実施形態における磁気センサ９の金属薄膜７０と同一形状である場合、全ての感磁ユニット２０１〜２０４の磁化自由層３１が同じ方向を向いており、全ての磁化固定層３３の磁化方向が磁化自由層３１の磁化容易軸方向と同じ向きか、逆方向であれば、磁気センサ９と同等の作用効果を得ることができる。
なお、磁気センサ９において、第二〜第五実施形態に示すように、ハードバイアス磁石等を用いて磁化自由層３１の磁化方向を固定してもよい。
【０１３０】
（動作）
第九実施形態における磁気センサ９の、端子Ｔａからの出力は、第七実施形態における磁気センサ７の出力と同等の特性が得られるため、金属薄膜７０に対して「−側」の電極７０ａ−２から「＋側」の電極７０ａ−１方向に電流を流した時、端子Ｔａの出力は図３３（ａ）に示すような磁気抵抗曲線を描き、端子Ｔｂの出力は図３３（ｂ）に示すような磁気抵抗曲線を描く。そのため端子Ｔａの出力信号と端子Ｔｂの出力信号との差分信号は、図３４（ａ）に示す特性となる。これを出力１とする。
【０１３１】
金属薄膜７０に対して「＋側」の電極７０ａ−１から「−側」の電極７０ａ−２方向に電流を流した時、端子Ｔａの出力は図３３（ｃ）に示すような磁気抵抗曲線を描き、端子Ｔｂの出力は図３３（ｄ）に示すような磁気抵抗曲線を描く。そのため端子Ｔａの出力信号と端子Ｔｂの出力信号との差分信号は、図３４（ｂ）に示す特性となる。これを出力２とする。
【０１３２】
そして、図３に示すように、測定タイミングの異なる出力１と出力２との差分が、別途設けられた差分回路９０によって出力される。この場合も差分回路９０の出力は、電圧ノイズを含まない出力となり、この場合も、磁気センサ９による検出精度を向上させることができる。
以上、本発明の実施形態を説明したが、上記実施形態は、本発明の技術的思想を具体化するための装置や方法を例示するものであって、本発明の技術的思想は、構成部品の材質、形状、構造、配置等を特定するものでない。本発明の技術的思想は、特許請求の範囲に記載された請求項が規定する技術的範囲内において、種々の変更を加えることができる。
【符号の説明】
【０１３３】
１〜９  磁気センサ
２０  感磁ユニット
３０  積層部
３１  磁化自由層
３２  非磁性層
３３  磁化固定層
４０、４１、４２、４３  保護層
５０  配線部
６０、６０−１、６０−２  電極
８０  ハードバイアス層
７０、７０′、７１  ７０１、７０２  金属薄膜
９０  差分回路
【図１】
2018115972.tif 000003
【図２】
2018115972.tif 000004
【図３】
2018115972.tif 000005
【図４】
2018115972.tif 000006
【図５】
2018115972.tif 000007
【図６】
2018115972.tif 000008
【図７】
2018115972.tif 000009
【図８】
2018115972.tif 000010
【図９】
2018115972.tif 000011
【図１０】
2018115972.tif 000012
【図１１】
2018115972.tif 000013
【図１２】
2018115972.tif 000014
【図１３】
2018115972.tif 000015
【図１４】
2018115972.tif 000016
【図１５】
2018115972.tif 000017
【図１６】
2018115972.tif 000018
【図１７】
2018115972.tif 000019
【図１８】
2018115972.tif 000020
【図１９】
2018115972.tif 000021
【図２０】
2018115972.tif 000022
【図２１】
2018115972.tif 000023
【図２２】
2018115972.tif 000024
【図２３】
2018115972.tif 000025
【図２４】
2018115972.tif 000026
【図２５】
2018115972.tif 000027
【図２６】
2018115972.tif 000028
【図２７】
2018115972.tif 000029
【図２８】
2018115972.tif 000030
【図２９】
2018115972.tif 000031
【図３０】
2018115972.tif 000032
【図３１】
2018115972.tif 000033
【図３２】
2018115972.tif 000034
【図３３】
2018115972.tif 000035
【図３４】
2018115972.tif 000036